(57)【特許請求の範囲】
【請求項１】
木枠内に中詰め材が充填されている土木構築物用敷設構造物であって、
前記木枠の下面側に、底面用部材として、底面用網状体が設けられ、
前記底面用網状体上に、点在される短尺な複数の支持台を介して前記木枠が支持されて、該木枠と該底面用網状体との間に、該各支持台間毎において間隙がそれぞれ形成され、
前記木枠が、所定長さの複数の木材を突き合わせた状態で組み立てられ、
前記各支持台上に、前記各木材の突き合わせ端部がそれぞれ位置され、
前記底面用網状体と、前記各支持台と、該各支持台に位置される前記木材の突き合わせ端部とに対して、連結具がそれぞれ関連づけられ、
前記各連結具が、構成要素として、前記底面用網状体の裏面側に係止される係止部と、該係止部から上方に延びて前記底面用網状体、前記各支持台及び前記各木材の突き合わせ端部を貫通する軸部と、該軸部に先端部に着脱可能に取付けられる留め具と、を有し、
前記中詰め材が、互いが噛み合う大きさとされている、
ことを特徴とする土木構築物用敷設構造物。
【請求項２】
請求項１において、
前記連結具が、前記留め具としてナットを備えると共に、該ナットが螺合される一対の軸部と該一対の軸部を連結する連結部とが一体的に形成されたＵ字状ボルトを備えている、
ことを特徴とする土木構築物用敷設構造物。
【請求項３】
請求項１において、
前記木枠上に、該木枠の上部を覆うようにして上壁用網状体が設けられ、
前記連結具における軸部が、前記上壁用網状体をも貫通して上方に延び、
前記軸部の先端部に止め板を挿通させた後に留め具が取付けられて、該止め板が前記上壁用網状体を前記木枠に向けて押し付けるように設定されている、
ことを特徴とする土木構築物用敷設構造物。
【請求項４】
請求項３において、
前記上壁用網状体と前記底面用網状体とが、前記木枠の最前端を経て一体的に連なっている、
ことを特徴とする土木構築物用敷設構造物。
【請求項５】
請求項１において、
前記木枠内に、横方向に延びるようにして横棒が設けられている、
ことを特徴とする土木構築物用敷設構造物。
【請求項６】
木枠配設予定個所において、底面用網状体の下面側から上方に向けて該底面用網状体に対して複数のＵ字状ボルトの軸部を貫通させ、
次に、前記各Ｕ字状ボルトの両軸部に、短尺な支持台をそれぞれ貫通させると共に該各支持台上において所定長さの木材の端部を貫通させて、木枠を組立てることとし、
次に、前記各Ｕ字状ボルトの両軸部に対してナットをそれぞれ螺合して、該Ｕ字状ボルトと該ナットとにより前記底面用網状体、前記支持台及び前記木枠を挟持し、
次に、前記木枠内に中詰め材を充填した後、該木枠上に上壁用網状体を配設して、該上壁用網状体に対して前記各Ｕ字状ボルトの軸部先端部をさらに貫通させ、
その後、前記各Ｕ字状ボルトの軸部に対してナットを螺合して前記上壁用網状体を前記木枠に押し付ける、
ことを特徴とする土木構築物用敷設構造物の製造方法。
【発明の詳細な説明】
【０００１】
【発明の属する技術分野】
本発明は、土木構築物用敷設構造物及びその製造方法に関する。
【０００２】
【従来の技術】
土木構築物用敷設構造物として、古くからいわゆるふとん籠が知られている。このふとん籠は、金網を用いて形成された籠内に中詰め石を充填した重量構造物であり、このものを施工面に用いれば、その重量に基づき安定性を確保しつつ施工面を保護することができることになる。しかし、このふとん籠は、中詰め石を充填する籠が金網により形成されていることから、中詰め石を充填する際に、側面が外に膨らむ問題を有している。
【０００３】
このため、本発明者は、少なくとも側面を木枠により構成し、その木枠（木材）の可撓性を有しない性質を利用して、中詰め石を充填する際に側面が外に膨らむことを防止することを考えている。
【０００４】
【発明が解決しようとする課題】
しかし、上記木枠を用いた敷設構造物においては、木枠が、高さ方向全体に亘って占めることから、施工面に凹凸がある場合には、木枠は、撓んでその凹凸に馴染むことができず、これに基づき、当該敷設構造物は、その凹凸に基づいて不安定な設置状態とならざるを得ない。
【０００５】
本発明は上記実情に鑑みてなされたもので、その第１の技術的課題は、施工面の状況に対して十分に対応させて設置安定性を確保できる土木構築物用敷設構造物を提供することにある。
第２の技術的課題は、上記土木構築物用敷設構造物を製造する土木構築物用敷設構造物の製造方法を提供することにある。
【０００６】
【課題を解決するための手段】
上記第１の技術的課題を達成するために本発明（請求項１の発明）にあっては、
木枠内に中詰め材が充填されている土木構築物用敷設構造物であって、
前記木枠の下面側に、底面用部材として、底面用網状体が設けられ、
前記底面用網状体上に、点在される短尺な複数の支持台を介して前記木枠が支持されて、該木枠と該底面用網状体との間に、該各支持台間毎において間隙がそれぞれ形成され、
前記木枠が、所定長さの複数の木材を突き合わせた状態で組み立てられ、
前記各支持台上に、前記各木材の突き合わせ端部がそれぞれ位置され、
前記底面用網状体と、前記各支持台と、該各支持台に位置される前記木材の突き合わせ端部とに対して、連結具がそれぞれ関連づけられ、
前記各連結具が、構成要素として、前記底面用網状体の裏面側に係止される係止部と、該係止部から上方に延びて前記底面用網状体、前記各支持台及び前記各木材の突き合わせ端部を貫通する軸部と、該軸部に先端部に着脱可能に取付けられる留め具と、を有し、
前記中詰め材が、互いが噛み合う大きさとされている構成としてある。この請求項１の好ましい態様としては、請求項２〜５の記載の通りとなる。
【０００７】
上記第２の技術的課題を達成するために本発明（請求項６の発明）にあっては、
木枠配設予定個所において、底面用網状体の下面側から上方に向けて該底面用網状体に対して複数のＵ字状ボルトの軸部を貫通させ、
次に、前記各Ｕ字状ボルトの両軸部に、短尺な支持台をそれぞれ貫通させると共に該各支持台上において所定長さの木材の端部を貫通させて、木枠を組立てることとし、
次に、前記各Ｕ字状ボルトの両軸部に対してナットをそれぞれ螺合して、該Ｕ字状ボルトと該ナットとにより前記底面用網状体、前記支持台及び前記木枠を挟持し、
次に、前記木枠内に中詰め材を充填した後、該木枠上に上壁用網状体を配設して、該上壁用網状体に対して前記各Ｕ字状ボルトの軸部先端部をさらに貫通させ、
その後、前記各Ｕ字状ボルトの軸部に対してナットを螺合して前記上壁用網状体を前記木枠に押し付ける構成としてある。
【０００８】
【発明の効果】
請求項１の発明によれば、底面用網状体上に、点在される複数の支持台を介して木枠が支持されて、該木枠と該底面用網状体との間に、該各支持台間毎において間隙がそれぞれ形成されことから、その間隙（空間）を利用して底面用網状体の可撓性が十分に発揮させることができることになる。その一方、中詰め材は、互いが噛み合う大きさとされていることから、木枠内に充填された中詰め材を互いに噛み合わせて中詰め材の互いの動きを規制して中詰め材全体を一種の一体化物とすることができ、それが木枠により規制されることになり、木枠内の中詰め材が、各隙間から外部にこぼれ出ることが抑制されることになる。このため、敷設構造物本来の機能を確保しつつ、施工面の状況に対して十分に対応（設置安定性を確保）させることができることになる。
【０００９】
また、木枠が、所定長さの複数の木材を突き合わせた状態で組み立てられ、各支持台上に、各木材の突き合わせ端部がそれぞれ位置されていることから、規格化された所定長さの木材と支持台とを活用して、所望大きさの前記請求項１に係る敷設構造物を具体的に得ることができるできることになる。
【００１０】
さらに、底面用網状体と、各支持台と、各支持台に位置される木材の突き合わせ端部とに対して、連結具がそれぞれ関連づけられ、各連結具が、構成要素として、底面用網状体の裏面側に係止される係止部と、該係止部から上方に延びて底面用網状体、各支持台及び各木材の突き合わせ端部を貫通する軸部と、該軸部に先端部に着脱可能に取付けられる留め具と、を有していることから、主として、連結部の軸部を利用しつつ底面用網状体、各支持台及び各木材の突き合わせ端部を積み上げるだけで、それらを簡単に連結できることになり、中詰め材の充填前において、強固な木枠を形成すると共に該木枠、各支持台及び底面用網状体を一体化できることになる。このため、中詰め材充填作業を確実に行うことができることになる。しかも、木枠上に上壁用網状体を設ける場合においては、上壁用網状体の網目を利用して、連結具を共通の連結手段として兼用できることになる。
【００１１】
請求項２の発明によれば、連結具が、留め具としてナットを備えると共に、該ナットが螺合される一対の軸部と該一対の軸部を連結する連結部とが一体的に形成されたＵ字状ボルトを備えていることから、その連結具を用いることにより、そのＵ字状ボルトの連結部を底面用網状体及び支持台に対する係止部として利用しつつ、木材を突き合わせた状態で簡単に連結することができ、連結作業性を向上させることができることになる。
【００１２】
請求項３の発明によれば、木枠上に、該木枠の上部を覆うようにして上壁用網状体が設けられ、連結具における軸部が、上壁用網状体をも貫通して上方に延び、軸部の先端部に止め板を挿通させた後にさらに留め具が取付けられて、該止め板が上壁用網状体を木枠に向けて押し付けるように設定されていることから、上壁用網状体の取付け前に既に木枠等を強固に形成して、中詰め材の充填を確実に行うことができると共に、中詰め充填後において、木枠の形成等に使用した連結具と新たな留め具を用いて、その強固な木枠上に上壁用網状体を固定できることになる。
【００１３】
請求項４の発明によれば、上壁用網状体と前記底面用網状体とが、前記木枠の最前端を経て一体的に連なっていることから、木枠が腐ってなくなっても、上壁用網状体と底面用網状体とが、木枠内に存在していた中詰め材を保持してその散らばりを防止することになり、当該敷設構造物の強度を長期に亘って保持できることになる。
【００１４】
請求項５の発明によれば、木枠内に、横方向に延びるようにして横棒が設けられていることから、施工面が傾斜していても、割栗石の充填後において、割栗石の荷重が、法尻側の横壁部だけでなく、横鉄筋を介して縦壁部にも伝達されることになり、木枠内の割栗石の荷重を分散できることになる。このため、収容壁として木枠を用いるとしても、十分な強度が確保できることになる。しかも、中詰め材の充填作業中においては、横鉄筋が割栗石が連れだって落ちることを抑制することになり、中詰め材の充填作業を容易にすることができることになる。
【００１５】
請求項６の発明によれば、前記請求項１に係る土木構築物用敷設構造物を得ることができるばかりか、中詰め材充填作業前において、底面用網状体、各支持台と共に一体化して、木枠を強固にすることができることになり、木枠内に中詰め材を確実に充填することができることになる。しかも、中詰め材充填作業後において、上壁用網状体を木枠に固定する際に、木枠等の組立固定のために用いられるＵ字状ボルトを利用できることになり、作業性を向上させることができる。
【００１６】
【発明の実施の形態】
以下、本発明の実施形態について図面に基づいて説明する。
【００１７】
図１、図２において、符号１は、河床や護岸付近の施工面２上に吸い出し防止材３を介して設置される実施形態に係る敷設構造物である。この敷設構造物１は、使用に際し、施工面２の大きさに応じて、適宜、拡張され、又は所定大きさの敷設構造物（例えば図１のもの）が、基本ユニットとして継ぎ足されることになっており、このような敷設構造物１上に覆土４が施されて、土木構築物としての護岸５が構築される。
【００１８】
上記敷設構造物１は、図１、図２に示すように、底面用網状体として樹脂ネット６を備えている。樹脂ネット６は十分な可撓性を有しており、その樹脂ネット６は、施工面２の天端部（施工面２の上端部）から法尻部（施工面２の下端部）にかけた施工面２全体に亘って敷設されている。この樹脂ネット６の大きさは、施工面２の面積に応じて適宜、つなぎ合わせることにより、形成される。勿論この場合、上記樹脂ネット６に代えて、金網等の可撓性を有する網状体を用いてもよい。
【００１９】
上記敷設構造物１は、図１、図２に示すように、上記樹脂ネット６上において木枠７を備えている。木枠７は、基本単位をなす矩形形状の外枠を形成していると共に、その外枠内をさらに、横方向に所定間隔毎に仕切っている。このような木枠７は、施工面２の大きさに応じて横方向に順次、増やされることになっている。
【００２０】
具体的には、木枠７は、図２に示すように、本実施形態においては、３つの縦壁部８と、２つの横壁部９とにより形成されている。各縦壁部８は、天端部から法尻部に向けて（縦方向）延ばされており、その各縦壁部８は、横方向に所定間隔毎に配列されている。この各縦壁部８は、複数（実施形態においては３本）の縦木１０（端面）を直列に連ねることにより形成されている。各縦木１０には、断面形状が正方形状とされた一定長さの加工丸太（角材）が用いられており（一辺が１００ｍｍ前後の正方形状の断面形状をもって全長が２０００ｍｍ前後とされたもの）、その両端部には、貫通孔１１がそれぞれ形成され、その各貫通孔１１は、ナット収容孔１２と、そのナット収容孔１２に連続して該ナット収容孔１２よりも縮径された挿通孔１３とにより構成されている（図３参照）。
【００２１】
上記横壁部９は、図２に示すように、法尻部と天端部とにそれぞれ設けられており、それらは、平行に対向しつつ横方向に延ばされている。本実施形態においては、各横壁部９は、各縦壁部８間を跨ぐ横木１４と、その各縦壁部８（縦木１０）の端部とをもって構成されており、その各横壁部９においては、各横木１４の端面が縦壁部８の端部側面に突き合わせられた状態とされている。この横木１４にも、全長がやや短くされた以外は（全長１９００ｍｍ前後）、前記縦木１０と同様構成の加工丸太が用いられている。
【００２２】
前記敷設構造物１は、図１、図２に示すように、前記樹脂ネット６と前記木枠７との間において複数の支持台（いわゆる笠木）１５を備えている。支持台１５は２種類が用いられており、その各支持台１５は配設場所に応じて使い分けられている。各支持台１５は、基本的には短尺な角材とされており、一方の種類の支持台１６は、図３に示すように、木枠７の縦壁部８で用いるべく、一辺が１００ｍｍ前後の正方形状の断面形状をもって全長が２００ｍｍ前後とされ、その長手方向両端部には挿通孔１７が形成されている。他方の種類の支持台１８は、図５に示すように、木枠７の横壁部９で用いるべく、一辺が１００ｍｍ前後の正方形状の断面形状をもって全長が３００ｍｍ前後とされており、その長手方向両端部及び長手方向中央部に３つの挿通孔１９が形成されている。
【００２３】
上記一方の種類の支持台１６は、その挿通孔１９が上下方向を向くようにして樹脂ネット６上に配設されており、その各一方の種類の支持台１６の上面には、縦壁部８配設個所において、図３に示すように、突き合わされた縦木１０同士が載置され、また、図４に示すように、木枠７の角部における縦壁部８（縦木１０）の端部と横壁部９（横木１４）の端部とが突き合わされた状態で載置されることになっている。このとき、一方の種類の支持台１６における挿通孔１７と縦木１０（及び横木１４）における挿通孔１３とが互いに対向して連通することになっている。他方の種類の支持台１８も、その挿通孔１９が上下方向を向くようにして樹脂ネット６上に配設されており、その他方の種類の支持台１８の上面には、横壁部９配設個所において、図５に示すように、２本の横木１４端部とその両横木１４に挟持された縦壁部８（縦木１０）の端部とが載置されることになっている。このとき、他方の種類の支持台１８における３つ挿通孔１９に対して、横木１４の挿通孔１３、縦壁部８（縦木１０）の挿通孔１３が対向して連通することになっている。これにより、木枠７と樹脂ネット６との間に、各支持台１５間毎に間隙２０がそれぞれ形成されることになっている。
【００２４】
前記敷設構造物１は、図３〜図６に示すように、前記木枠７と前記各支持台１５と前記樹脂ネット６とを連結一体化するために、連結具２１を備えている。連結具２１は、２種類のＵ字状ボルト２２，２３と、長ボルト２４と、それらにそれぞれ螺合するナット２５（留め具）とからなっている。一方の種類のＵ字状ボルト２２は、一対の軸部２２ａとその一対の軸部２２ａを連結する連結部２２ｂ（係止部）とを有しており、その両軸部２２ａ間隔は、前記一方の種類の支持台１６における両挿通孔１７間の長さに設定されている。他方の種類のＵ字状ボルト２３も、一対の軸部２３ａとその一対の軸部２３ａを連結する連結部２３ｂとを有しており、その両軸部２３ａ間隔は、前記他方の種類の支持台１８における長手方向両端部の両挿通孔１９間長さに設定されている。そして、このいずれのＵ字状ボルト２２，２３の軸部２２ａ，２３ａも、各支持台１５における挿通孔１７（１９）を一方から他方に貫通しきって延びるように長さ設定されている。長ボルト２４は、真っ直ぐに延びており、その軸部２４ａの長さは、他方の種類の支持台１８における挿通孔１９を一方から他方に貫通しきって延びるように設定されている。この２種類のＵ字状ボルト２２，２３及び長ボルト２４のいずれにも、溶融亜鉛メッキ等のメッキ処理を施しておくことが好ましい。
【００２５】
前記一方の種類のＵ字状ボルト２２のいくつかは（本実施形態においては８つ）、図３に示すように、その両軸部２２ａが、樹脂ネット６の下面側から該樹脂ネット６の網目、一方の種類の支持台１６における両挿通孔１７を経て、突き合わされた縦木１０端部の挿通孔１３に通され、残りの一方の種類のＵ字状ボルト２２は（本実施形態においては４つ）、図４に示すように、木枠７の各角部において、その両軸部２２ａが、樹脂ネット６の下面側から該樹脂ネット６の網目、一方の種類の支持台１６における両挿通孔１７を経て、縦木１０端部及び横木１４端部の各挿通孔１３に通されている。このいずれの場合も、一方の種類のＵ字状ボルト２２における両軸部２２ａの先端部は、縦木１０（又は横木１４）のナット収容孔１２よりも外方に突出されており、その両軸部２２ａの先端部には、前記ナット２５がナット収容孔１２の底面に当接するまでそれぞれ螺合されている（図４においては、ナット２５締めは省略されている）。これにより、一方の種類のＵ字状ボルト２２（連結部２２ｂ）とその軸部２２ａに螺合される両ナット２５とは、縦壁部８において、突き合わされた縦木１０同士、一方の種類の支持台１６及び樹脂ネット６を一体化すると共に、木枠７の各角部において、縦木１０端部、横木１４端部、一方の種類の支持台１６及び樹脂ネット６を一体化している。
【００２６】
前記他方の種類のＵ字状ボルト２３いくつかは（本実施形態においては４つ）、図５、図６に示すように、その両軸部２３ａが、樹脂ネット６の下面側から該樹脂ネット６の網目、他方の種類の支持台１８における長手方向両端部の両挿通孔１９を経て、縦木１０端部を挟む横木１４端部における挿通孔１３に通されており、長ボルト２４は、その軸部２４ａが、他方の種類の支持台１８下面側から該他方の種類の支持台１８における長手方向中央部の挿通孔１９を経て、縦木１０端部の挿通孔１３に通されている。この場合においても、他方の種類のＵ字状ボルト２３における両軸部２３ａ先端部は、横木１４端部の両ナット収容孔１２よりも外方に突出され、長ボルト２４の軸部２４ａ先端部は、縦木１０端部のナット収容孔１２よりも外方に突出されており、その各軸部２４ａの先端部には、ナット２５がナット収容孔１２の底面に当接するまでそれぞれ螺合されている。これにより、他方の種類のＵ字状ボルト２３（連結部２３ｂ）とその両軸部２３ａに螺合される両ナット２５とは、縦木１０端部とその縦木１０を挟む横木１４、他方の種類の支持台１８、樹脂ネット６を一体化している。
【００２７】
尚、本実施形態においては、図５に示すように、他方の種類のＵ字状ボルト２３の両軸部２３ａと、長ボルト２４の軸部２４ａが直線状に並ぶように取付ける際に、他方の種類のＵ字状ボルト２３における両軸部２３ａの連結部２３ｂが長ボルトの頭部に干渉しないようにするため、その長ボルト２４の頭部は、他方の種類の支持台１８下面において挿通孔１９よりも拡径された状態で形成されている収容孔２６に収容されることになっている。
【００２８】
前記敷設構造物１は、前記木枠７（外枠）内において、図１、図７に示すように、複数の横棒としての横鉄筋２７（本実施形態においては２本）を備えている。各横鉄筋２７は、各縦壁部８上面と樹脂ネット６との間の高さ位置を保持しつつ、該各縦壁部８を横切るようにして外枠の横方向全体に亘って延びており、その各横鉄筋２７は、縦方向に所定間隔があけられている。本実施形態においては、図７に示すように、各縦壁部８において突き合わされる縦木１０端面下部が切り欠かれて、その突き合わされた両縦木１０とその両縦木１０下側における一方の種類の支持台１６とにより保持孔２８が形成されており、その各保持孔２８に横鉄筋２７が挿通された状態でそれぞれ保持されている。
【００２９】
前記敷設構造物１は、図２に示すように、中詰め材として割栗石２９を備えている。割栗石２９は、木枠７内全体に亘って充填されており、この割栗石２９の大きさは、充填状態において、互いが噛み合って動きが規制されるものとされている（本実施形態においては、５０ｍｍ〜１５０ｍｍ程度のものが使用）。これにより、割栗石２９の互いの噛み合いにより割栗石２９全体が一種の一体化物となり、それが木枠７により規制されることになって、木枠７内の割栗石２９が、前記各間隙２０から外部にこぼれ出ることが抑制されることになっている。勿論この場合、中詰め材としては、割栗石２９の他に、砕石、コンクリート廃材等を用いてもよい。
【００３０】
前記敷設構造物１は、図１、図８に示すように、上壁用網状体として樹脂ネット３０を備えている（図８においては、一部破断状態を示す）。この樹脂ネット３０には、前記樹脂ネット６と同様のものが用いられており、その樹脂ネット３０により木枠７上面全体が覆われている。この樹脂ネット３０は、本実施形態においては、木枠７の法尻部側（最前端部側）において前記樹脂ネット６と連続するようにつなげられており、その両樹脂ネット６、３０により木枠７の法尻部側が包み込まれた状態となっている。この樹脂ネット３０には、前記各支持台１５が存在する個所において、その樹脂ネット６の網目を利用して、前記Ｕ字状ボルト２２（２３）の両軸部２２ａ（２３ａ）先端部、長ボルト２４の軸部２４ａ先端部が貫通されている。この各軸部２２ａ（２３ａ，２４ａ）には、座金３１（止め板）を通した後、新たにナット３２（留め具）が螺合されており、樹脂ネット３０は、各支持台１５が存在する個所において、木枠７上面に押し付けられると共に、Ｕ字状ボルト等２２，２３，２４により両樹脂ネット６、３０が互いに離れることが規制されることになっている。勿論この樹脂ネット３０においても、必要な大きさに対応すべく、適宜、つなぎ合わされる。
【００３１】
したがって、このような敷設構造物１においては、木枠７と樹脂ネット６との間に、点在される短尺な各支持台１５間毎において間隙２０がそれぞれ形成されていることから、その間隙２０を利用して樹脂ネット６の可撓性が十分に発揮させることができることになり、施工面２が凹凸を有していても樹脂ネット６を馴染ませることができることになる（設置安定性の確保）。その一方、木枠７内の割栗石２９を互いに噛み合わせて割栗石２９全体を一種の一体化物とし、それを木枠７により規制して木枠７内の割栗石２９を各隙間から外部にこぼれ出ないようにしていることから、敷設構造物１としての本来の機能を確保できることになる。
【００３２】
また、各間隙２０が、樹脂ネット６と木枠７との間に位置されて、低い位置とされていることから、排水性を良好なものとすることができることになる。
【００３３】
さらに、木枠７が形状をとどめて正常に機能する場合には、その木枠７が収容壁として割栗石２９を規制する一方、木枠７が腐ってなくなったとしても、樹脂ネット６と３０とが、最前端部（木枠７の法尻側）において連なって一体化されていること、横方向両側、最後端部において、樹脂ネット６と３０とがＵ字状ボルト等２２〜２４により離間されない関係が確保されていることから、割栗石２９が散らばることが防止され、護岸５としての強度を保持できることになる。
【００３４】
さらにまた、施工面２が傾斜しているとしても、割栗石２９の充填後においては、割栗石２９の荷重が、法尻側の横壁部９だけでなく、横鉄筋２７を介して縦壁部８にも伝達されることになる。このため、割栗石２９の荷重が分散されることになり、収容壁として木枠７を用いるとしても、十分な強度が確保できることになる。
【００３５】
次に、上記敷設構造物１の施工方法（製造方法）について説明する。上記敷設構造物１は、小型のものに関しては、工場において製造することができるが、本実施形態においては、施工と製造とを兼ねた施工現場での施工方法について説明する。
【００３６】
先ず、図９に示すように、施工面２全体に、吸い出し防止材３を介して樹脂ネット６を敷設し、その樹脂ネット６に対して、各支持台配設予定個所において、対応するＵ字状ボルト２２，２３をセットする。Ｕ字状ボルト２２，２３のセットに際しては、連結部２２ａ，２３ａが樹脂ネット６の下側に位置され、両軸部２２ａ，２３ａが樹脂ネット６から上方に突出するようにされる（図９においては、一方の種類の支持台１６用のＵ字状ボルト２２を用いた例を示す）。尚、一方の種類の支持台１６、他方の種類の支持台１８、一方の種類のＵ字状ボルト２２、他方の種類のＵ字状ボルト２３の配設個所等の説明については、既に説明しているので、重複説明を避けるべく省略する。
【００３７】
次に、各Ｕ字状ボルト２２（２３）に対して、図１０、図１１に示すように、対応する支持台１５をセットする。このセットにおいては、Ｕ字状ボルト２２（２３）の両軸部２２ａ（２３ａ）が支持台１５の挿通孔１７（１９）に挿通されるが、特に他方の種類の支持台１８に関しては、そのＵ字状ボルト２２（２３）の両軸部２２ａ（２３ａ）の挿通前に、長ボルト２４が他方の種類の支持台１８における長手方向中央部の挿通孔１９に予め挿通される。
【００３８】
次に、図２に示すように、複数の縦壁部８（本実施形態においては４つの縦壁部８）を間隔をあけて形成すると共に、横壁部９を樹脂ネット６上の法尻側と天端側とに形成する。各縦壁部８を形成するに際しては、各一方の種類の支持台１６上に突出しているＵ字状ボルト２２の軸部２２ａに縦木１０端部の挿通孔１３を挿通して、一方の種類の支持台１６間に縦木１０を掛け渡すこととされ、これにより、各一方の種類の支持台１６上において、縦木１０端面同士が突き合わされることになる。各横壁部９を形成するに際しては、各他方の種類の支持台１８上に突出しているＵ字状ボルト２３ａの軸部２３ａに横木１４端部の挿通孔１３を挿通して、各他方の種類の支持台１８間に横木１４を掛け渡されると共に、その各他方の種類の支持台１８上に突出している長ボルト２４の軸部２４ａに縦壁部８の端部側を構成する縦木１０端部の挿通孔１３が挿通されることとされ、これにより、各他方の種類の支持台１８上において、縦壁部８端部側を構成する縦木１０端部を横木１４が挟持する状態となる。また、横壁部９の端部に関しては、その部分を構成する横木１４の挿通孔１３が、縦壁部８の端部に配設される一方の種類の支持台１６上において、その一方の種類の支持台１６上から突出するＵ字状ボルト２２の軸部２２ａに挿通され、その横木１４端面と縦壁部８を構成する端部側面とが突き合わされる。これにより、図１、図２に示すように、外枠が矩形状とされた木枠７が各支持台１５を介して樹脂ネット６上に形成されることになる。
【００３９】
次に、図２、図７に示すように、木枠７内に横鉄筋２７を配設する。この横鉄筋２７は、前記各保持孔２８に保持されて、木枠７内における横方向全体に亘って延びることになるが、この組み付けにおいては、この時点における一方の種類の支持台１６上において、突き合わされた縦木１０がＵ字状ボルト２２の軸部２２ａに案内されて上昇可能とされていること（未だ固定されていないこと）を利用して、それらが構成する保持孔２８に横鉄筋２７が、外枠の横方向外側から通されることになる。
【００４０】
次に、前記縦壁部８及び横壁部９において、縦木１０及び横木１４から突出する各Ｕ字状ボルトの軸部にナット２５をナット収容孔１２の底部に当接するまで螺合する。これにより、各縦木１０及び各横木１４が連結されて木枠７が強固に形成されると共に、その木枠７は、各支持台及び樹脂ネット６に対して一体的に連結されることになる。またこのとき、各一方の種類の支持台１６と、その各一方の種類の支持台１６上における突き合わされた縦木１０とが、横鉄筋２７を挟持することになり、横鉄筋２７は、強固に木枠７に保持されることになる。
【００４１】
次に、図２に示すように、前記木枠７内に割栗石２９を充填する（図２においては、一部の割栗石が省略されている）。これにより、木枠７内において、割栗石２９は、互いに噛み合って一体化物となり、敷設構造物１としての重量、保護層等が確保されることになる。この割栗石２９を充填するに際しては、施工面２が傾斜しているとしても、横鉄筋２７が木枠７内に配設されており、その横鉄筋２７が割栗石２９が連れだって落ちることを抑制することになり、充填作業を容易にすることができることになる。
【００４２】
次に、図２、図８に示すように、前記木枠７上に上壁用網状体としての樹脂ネット３０を設けて、該樹脂ネット３０により該木枠７を覆う。この場合、樹脂ネット３０は、木枠７の法尻部側において前記樹脂ネット６と連結されて木枠７の法尻部側が包み込むようにされると共に、木枠７上面ににおいては、樹脂ネット３０に、該木枠７から突出するＵ字状ボルト等の軸部２２ａ，２３ａ，２４ａがそれぞれ貫通され、その各軸部２２ａ，２３ａ，２４ａにナット３２が螺合されて該樹脂ネット３０が木枠７に固定される。
【００４３】
この後、図１に示すように、上記敷設構造物１に覆土４を施し、土木構築物としての護岸５の構築を終える。
【００４４】
尚、本発明の目的は、明記されたものに限らず、実質的に好ましい或いは利点として記載されたものに対応したものを提供することをも含むものである。
【図面の簡単な説明】
【図１】実施形態に係る護岸を示す説明図。
【図２】実施形態に係る敷設構造物を示す斜視図。
【図３】縦壁部における縦木、支持台、樹脂ネット、Ｕ字状ボルト等の関係を示す縦断面図。
【図４】木枠の角部における縦木、横木、支持台、Ｕ字状ボルト等の関係を示す斜視図。
【図５】横壁部における縦木、横木、支持台、樹脂ネット、Ｕ字状ボルト等の関係を示す縦断面図。
【図６】横壁部における縦木、横木、支持台、樹脂ネット、Ｕ字状ボルト等の関係を示す斜視図。
【図７】木枠内において横鉄筋を配設している状態を示す斜視図。
【図８】木枠の法尻部側において、底壁側の樹脂ネットと上壁側の樹脂ネットとが、木枠を包み込むように連なっている状態を示す斜視図。
【図９】底壁用の樹脂ネットに対してＵ字状ボルトをセットした状態を示す斜視図。
【図１０】一方の種類の支持台用Ｕ字状ボルトに対して、一方の種類の支持台をセットした状態を示す斜視図。
【図１１】他方の種類の支持台用Ｕ字状ボルト、長ボルトに対して、他方の種類の支持台をセットした状態を示す斜視図。
【符号の説明】
１ 敷設構造物
５ 護岸
６ 樹脂ネット
７ 木枠
１０ 縦木
１４ 横木
１５ 支持台
１６ 一方の種類の支持台
１８ 他方の種類の支持台
２０ 間隙
２１ 連結具
２２ 一方の種類のＵ字状ボルト
２２ａ 軸部
２３ 他方の種類のＵ字状ボルト
２３ａ 軸部
２４ 長ボルト
２４ａ 軸部
２７ 横鉄筋
２９ 割栗石
３０ 樹脂ネット
３１ 座金
３２ ナット
【図１】
0004477256.tif 000002
【図２】
0004477256.tif 000003
【図３】
0004477256.tif 000004
【図４】
0004477256.tif 000005
【図５】
0004477256.tif 000006
【図６】
0004477256.tif 000007
【図７】
0004477256.tif 000008
【図８】
0004477256.tif 000009
【図９】
0004477256.tif 000010
【図１０】
0004477256.tif 000011
【図１１】
0004477256.tif 000012